(57)【特許請求の範囲】
【請求項１】
撮影光学系によって得られる光学的被写体像を銀塩フィルム及び光電変換撮像センサのいずれか一方に選択的に撮影し得るようになった銀塩フィルム兼用電子スチルカメラであって、
前記撮影光学系によって規定される光軸に沿って前後方向に移動自在な可動組立体と、
前記可動組立体を第１の撮影位置と第２の撮影位置との間で選択的に移動させるための選択的位置決め駆動手段とを具備し、
前記可動組立体には前記銀塩フィルムを所定位置に拘束する拘束手段と、この拘束手段と協働して該銀塩フィルムの記録面を所定の面位置に規定する透明圧板とが設けられ、しかも前記可動組立体には前記光電変換撮像センサが前記透明圧板の後方側に組み込まれ、
前記可動組立体が前記選択的位置決め駆動手段によって前記第１の撮影位置に位置決めされたとき、前記銀塩フィルムの記録面が前記撮影光学系の結像面に一致させられ、
前記透明圧板が光軸に沿って前記撮影光学系の結像面よりも前方側へ位置決めされるように前記可動組立体が前記選択的位置決め駆動手段によって前記第２の撮影位置に位置決めされたとき、前記光電変換撮像センサの受光面が前記撮影光学系の結像面に一致させられることを特徴とする銀塩フィルム兼用電子スチルカメラ。
【請求項２】
請求項１に記載の銀塩フィルム兼用電子スチルカメラにおいて、
前記可動組立体が第１の副組立体と第２の副組立体とから成り、前記第１の副組立体が前記第２の副組立体の前方側に配置させられ、前記第１の副組立体には前記拘束手段が包含され、前記第２の副組立体には前記透明圧板及び前記光電変換撮像センサが包含されることを特徴とする銀塩フィルム兼用電子スチルカメラ。
【請求項３】
請求項２に記載の銀塩フィルム兼用電子スチルカメラにおいて、
前記第１の副組立体を前記第２の副組立体に対して弾性的に偏倚させるための第１の弾性ばね手段と、前記第２の副組立体を前記第１の副組立体に対して弾性的に偏倚させる第２の弾性ばね手段とが設けられ、
これにより前記第１及び第２の副組立体が互いに衝合し合うように弾性的に偏倚されると共に前記選択的位置決め駆動手段によって一体化して移動させられることを特徴とする銀塩フィルム兼用電子スチルカメラ。
【請求項４】
請求項１から３までのいずれか１項に記載の銀塩フィルム兼用電子スチルカメラにおいて、
前記可動組立体には銀塩フィルムの有無を検出するフィルム検出手段が設けられ、
この検出手段によって銀塩フィルムの存在が検出されたとき、前記選択的位置決め駆動手段が前記可動組立体を前記第１の撮影位置に位置決めするように駆動させられ、
前記検出手段によって銀塩フィルムの存在が検出されないとき、前記選択的位置決め駆動手段が前記可動組立体を前記第２の撮影位置に位置決めするように駆動させられることを特徴とする銀塩フィルム兼用電子スチルカメラ。
【請求項５】
請求項４に記載の銀塩フィルム兼用電子スチルカメラにおいて、
前記可動組立体が前記第１の撮影位置及び前記第２の撮影位置のいずれかに適正に位置決めされているか否かを判断する位置決め検出手段が設けられ、
この位置決め検出手段によって前記可動組立体が前記第１の撮影位置及び前記第２の撮影位置のいずれにも適正に位置決めされていないと判断されたとき、撮影作動指令信号を無効化する撮影作動不可手段が設けられることを特徴とする銀塩フィルム兼用電子スチルカメラ。
【請求項６】
請求項１から５までのいずれか１項に記載の銀塩フィルム兼用電子スチルカメラにおいて、
前記選択的位置決め駆動手段がソレノイド作動器から成り、このソレノイド作動器が前記可動組立体と係合させられたプランジャを有し、しかも第１の作動位置と第２の作動位置との間で選択的に駆動し得るように構成され、
前記プランジャがその第１の作動位置にあるとき、前記可動組立体が前記第１の撮影位置に位置決めさせられ、前記プランジャがその第２の作動位置にあるとき、前記可動組立体が前記第２の撮影位置に位置決めされることを特徴とする銀塩フィルム兼用電子スチルカメラ。
【請求項７】
請求項１から６までのいずれか１項に記載の銀塩フィルム兼用電子スチルカメラにおいて、
前記透明圧板が透明板ガラスから形成されることを特徴とする銀塩フィルム兼用電子スチルカメラ。
【請求項８】
請求項７に記載の銀塩フィルム兼用電子スチルカメラにおいて、
前記透明板ガラスが赤外線遮断板ガラス特性を示すことを特徴とする銀塩フィルム兼用電子スチルカメラ。
【請求項９】
撮影光学系によって得られる光学的被写体像を銀塩フィルム及び光電変換撮像センサのいずれか一方に選択的に撮影し得るようになった銀塩フィルム兼用電子スチルカメラであって、
前記撮影光学系によって規定される光軸に沿って前後方向に移動自在な可動組立体と、
前記可動組立体を第１の撮影位置と第２の撮影位置との間で選択的に移動させるための選択的位置決め駆動手段とを具備し、
前記可動組立体には前記銀塩フィルムを所定位置に拘束する拘束手段と、この拘束手段と協働して該銀塩フィルムの記録面を所定の面位置に規定する透明圧板とが設けられ、しかも前記可動組立体には前記光電変換撮像センサが前記透明圧板の後方側に組み込まれ、
前記可動組立体が前記選択的位置決め駆動手段によって前記第１の撮影位置に位置決めされたとき、前記銀塩フィルムの記録面が前記撮影光学系の結像面に一致させられ、
前記可動組立体が前記選択的位置決め駆動手段によって前記前記第２の撮影位置に位置決めされたとき、前記光電変換撮像センサの受光面が前記撮影光学系の結像面に一致させられ、
前記可動組立体が第１の副組立体と第２の副組立体とから成り、前記第１の副組立体が前記第２の副組立体の前方側に配置させられ、前記第１の副組立体には前記拘束手段が包含され、前記第２の副組立体には前記透明圧板及び前記光電変換撮像センサが包含され、
前記第１の副組立体を前記第２の副組立体に対して弾性的に偏倚させるための第１の弾性ばね手段と、前記第２の副組立体を前記第１の副組立体に対して弾性的に偏倚させる第２の弾性ばね手段とが設けられ、
これにより前記第１及び第２の副組立体が互いに衝合し合うように弾性的に偏倚されると共に前記選択的位置決め駆動手段によって一体化して移動させられることを特徴とする銀塩フィルム兼用電子スチルカメラ。
【発明の詳細な説明】
【０００１】
【発明の属する技術分野】
本発明は撮影光学系によって得られる光学的被写体像を銀塩フィルム及び光電変換撮像センサのいずれか一方に選択的に撮影し得るようになったハイブリッドカメラ即ち銀塩フィルム兼用電子スチルカメラに関する。
【０００２】
【従来の技術】
近年、光学的被写体像を光電変換撮像センサで撮影し、その光電変換撮像センサで得られた画素信号を適宜処理した後にメモリカードや磁気フロッピィディスク等の記録媒体に記録する電子スチルカメラが注目されているが、撮影光学系によって得られる光学的被写体像を銀塩フィルム及び光電変換撮像センサのいずれか一方に選択的に撮影し得るようになったハイブリッドカメラ即ち銀塩フィルム兼用電子スチルカメラも開発されている。
【０００３】
従来の銀塩フィルム兼用電子スチルカメラの一例として、そのカメラボディの裏蓋の内側に２つのユニットを交換自在に着脱し得るようになっているものが知られている。即ち、一方のユニットは銀塩フィルム用圧板を持つ圧板ユニットであり、他方のユニットは光電変換撮像センサを持つ電子撮像ユニットであり、これら２つのユニットのいずれかを裏蓋の内側に装着することにより、かかるカメラを通常の写真撮影カメラとして或いは電子スチルカメラとして用いるものである。
【０００４】
【発明が解決しようとする課題】
しかしながら、このような従来の銀塩フィルム兼用電子カメラにおいては、写真撮影カメラ及び電子スチルカメラの一方から他方に切り換える度毎に圧板ユニット及び電子撮像ユニットの交換操作が伴い、このような交換操作は非常に煩雑なものとなる。
【０００５】
従って、本発明の目的は撮影光学系によって得られる光学的被写体像を銀塩フィルム及び光電変換撮像センサのいずれか一方に選択的に撮影し得るようになったハイブリッドカメラ即ち銀塩フィルム兼用電子スチルカメラであって、従来のような煩雑な交換操作を全く必要としない銀塩フィルム兼用電子スチルカメラを提供することである。
【０００６】
【課題を解決するための手段】
本発明による銀塩フィルム兼用電子スチルカメラは撮影光学系によって得られる光学的被写体像を銀塩フィルム及び光電変換撮像センサのいずれか一方に選択的に撮影し得るようになっているものであり、撮影光学系によって規定される光軸に沿って前後方向に移動自在な可動組立体と、この可動組立体を第１の撮影位置と第２の撮影位置との間で選択的に移動させるための選択的位置決め駆動手段とを具備する。可動組立体には銀塩フィルムを所定位置に拘束する拘束手段と、この拘束手段と協働して該銀塩フィルムの記録面を所定の面位置に規定する透明圧板とが設けられ、しかも可動組立体には光電変換撮像センサが透明圧板の後方側に組み込まれる。可動組立体が選択的位置決め駆動手段によって第１の撮影位置に位置決めされたとき、銀塩フィルムの記録面が撮影光学系の結像面に一致させられ、可動組立体が選択的位置決め駆動手段によって第２の撮影位置に位置決めされたとき、光電変換撮像センサの受光面が撮影光学系の結像面に一致させられる。
【０００７】
本発明によれば、好ましくは、可動組立体は第１の副組立体と第２の副組立体とから成り、第１の副組立体は第２の副組立体の前方側に配置させられる。この場合、第１の副組立体には拘束手段が包含され、第２の副組立体には透明圧板及び光電変換撮像センサが包含される。
【０００８】
可動組立体が第１の副組立体と第２の副組立体とから成る場合には、好ましくは、第１の副組立体を第２の副組立体に対して弾性的に偏倚させるための第１の弾性ばね手段と、第２の副組立体を第１の副組立体に対して弾性的に偏倚させる第２の弾性ばね手段とが設けられ、これにより第１及び第２の副組立体が互いに衝合し合うように弾性的に偏倚されると共に選択的位置決め駆動手段によって一体化して移動させられる。
【０００９】
本発明によれば、好ましくは、可動組立体には銀塩フィルムの有無を検出するフィルム検出手段が設けられ、この検出手段によって銀塩フィルムの存在が検出されたとき、選択的位置決め駆動手段が可動組立体を第１の撮影位置に位置決めするように駆動させられ、検出手段によって銀塩フィルムの存在が検出されないとき、選択的位置決め駆動手段が可動組立体を第２の撮影位置に位置決めするように駆動させられる。更に好ましくは、可動組立体が第１の撮影位置及び第２の撮影位置のいずれかに適正に位置決めされているか否かを判断する位置決め検出手段が設けられ、この位置決め検出手段によって可動組立体が第１の作動位置及び第２の作動位置のいずれにも適正に位置決めされていないと判断されたとき、撮影作動指令信号を無効化する撮影作動不可手段が設けられる。
【００１０】
本発明によれば、好ましくは、選択的位置決め駆動手段がソレノイド作動器から成り、このソレノイド作動器が可動組立体と係合させられたプランジャを有し、しかも第１の作動位置と第２の作動位置との間で選択的に駆動し得るように構成され、プランジャがその第１の作動位置にあるとき、可動組立体が第１の撮影位置に位置決めさせられ、プランジャがその第２の作動位置にあるとき、可動組立体が第２の撮影位置に位置決めされる。
【００１１】
本発明においては、透明圧板については透明板ガラスから形成することが可能であり、この場合透明板ガラスには好ましくは赤外線遮断板ガラス特性が与えられる。
【００１２】
【発明の実施の形態】
次に、添付図面を参照して、本発明による銀塩フィルム兼用電子スチルカメラの一実施形態について以下に説明する。
【００１３】
先ず、図１を参照すると、本発明による銀塩フィルム兼用電子スチルカメラの主要な内部構成が概略的に示され、この銀塩フィルム兼用電子スチルカメラは本実施形態では所謂一眼レフカメラとして構成される。銀塩フィルム兼用電子スチルカメラはカメラボディ１０と、このカメラボディ１０の正面側のほぼ中心に着脱自在に装着されたレンズ鏡筒１２とを具備する。レンズ鏡筒１２内には撮影光学系が設けられ、この撮影光学系によって規定される光軸が一点鎖線で示される。カメラボディ１０の背面側には裏蓋１３が取り付けられ、図１では、裏蓋１３の輪郭の一部が二点鎖線で示される。
【００１４】
カメラボディ１０内にはクイックリターンミラー１４が設けられ、このクイックリターンミラー１４はレンズ鏡筒１２の撮影光学系の後方側に配置される。クイックリターンミラー１４は実線で示すダウン位置即ち傾斜位置と破線で示すアップ位置即ち水平位置との間で回動自在とされる。通常時、クイックリターンミラー１４はダウン位置に置かれているが、撮影作動時、ダウン位置からアップ位置まで回動させられてそのアップ位置に所定時間だけ止められる。なお、クイックリターンミラー１４の回動制御については周知の態様で行うことができる。
【００１５】
クイックリターンミラー１４の上方側にはピント板１６が配置され、このピント板１６は参照符号１８で示すファインダ光学系の一部を成す。クイックリターンミラー１４がダウン位置にあるとき、レンズ鏡筒１２の撮影光学系の光軸はそのクイックリターンミラー１４によってピント板１６側の方に偏向させられる。即ち、レンズ鏡筒１２の撮影光学系によって捉えられた光学的被写体像はピント板１６上に結像され、その光学的被写体像はファインダ光学系１８を通して撮影者によって観察される。
【００１６】
クイックリターンミラー１４の後方側にはシャッタ２０が設けられ、このシャッタ２０は撮影作動時にクイックリターンミラー１４のダウン位置からアップ位置への回動に連動して所定時間だけ開放させられる。なお、クイックリターンミラー１４の場合と同様、シャッタ２０の開放制御についても周知の態様で行うことができる。
【００１７】
シャッタ２０の後方側には可動組立体２２が設けられ、この可動組立体２２はレンズ鏡筒１２の撮影光学系の光軸に沿う所定の範囲にわたって前後方向に移動自在とされる。本実施形態にあっては、可動組立体２２は第１の副組立体２２Ａ及び第２の副組立体２２Ｂから成り、第１の副組立体２２Ａの移動はカメラボディ１０内に適宜設けられたガイド手段（図示されない）によって案内され、また第２の副組立体２２Ｂは裏蓋１３内に適宜設けられたガイド手段（図示されない）によって案内される。
【００１８】
図２に最もよく図示するように、第１の副組立体２２Ａは矩形状枠体２４から成り、この矩形状枠体２４の中央部には露光領域を画定する矩形状開口部２６が形成される。矩形状枠体２４の後方面には一対のガイドレール２８及び３０が矩形状開口部２６の上下縁辺に沿って取り付けられる。矩形状枠体２４の後方面には、更に、上側ガイドレール２８に沿ってその上方側に３つのガイド片３２が取り付けられると共に下側ガイドレール３０に沿ってその下方側に３つのガイド片３４が取り付けられる。一対のガイドレール２８及び３０と６つのガイド片３２及び３４とは銀塩フィルムＦを第１の副組立体に対して拘束するための拘束手段として機能する。
【００１９】
本実施形態においては、銀塩フィルムＦはロール状にパトローネ（フィルムカートリッジ）内に収納され、そのパトローネは裏蓋を開けてカメラボディ１０内の一方の片側位置に格納され、その反対側の片側位置には銀塩フィルムＦの巻取りスプール（図示されない）が設けられる。パトローネから引き出された銀塩フィルムＦは一対のガイドレール２８及び３０と６つのガイド片３２及び３４とによって画定されるフィルム通路を通って、その先端は上述の巻取りスプールに係合させられる。その後、裏蓋１３が閉じられると、銀塩フィルムＦは一対のガイドレール２８及び３０と６つのガイド片３２及び３４と拘束されて案内されつつ矩形開口部２６を横切るように一フレーム分ずつ移動させられ、次いで上述の巻取りスプールによって順次巻き取られる。
【００２０】
第２の副組立体２２Ｂは適当な透明板ガラスから形成された透明圧板３６と、この透明圧板３６の後方に取り付けられた光電変換撮像センサ３８と、この光電変換撮像センサ３８の動作を制御すべく該光電変換撮像センサ３８の後方側に装着された制御回路基板４０とから成る。透明圧板３６を形成する透明ガラスとしては、好ましくは、赤外線遮蔽特性を示すものが使用される。光電変換撮像センサ３８は適当な固体撮像素子例えばＣＣＤ(Charge-Coupled Device) からエリアイメージセンサとして構成される。光電変換撮像センサ３８の前方面は受光面であり、この受光面は透明圧板３６の後方面に密着させられる。
【００２１】
図１及び図２から明らかなように、第１の副組立体２２Ａの矩形状枠体２４の前方面の四隅のそれぞれには適当な弾性ばね要素例えば圧縮コイルばね要素４２が作用させられ、このため第１の副組立体２２Ａは第２の副組立体２２Ｂに対して弾性的に偏倚させられる。一方、第２の副組立体２２Ｂにも適当な弾性ばね要素例えば板ばね要素４４が作用させられ、これにより第２の副組立体２２Ｂは第１の副組立体２２Ａに対して弾性的に偏倚させられる。なお、図１においては、板ばね要素４４は象徴的に記号化されて示されている。本実施形態では、４つの圧縮コイルばね要素４２の弾性偏倚力は板ばね要素４４の弾性偏倚力よりも小さくされ、このため可動組立体２２は常に前方側に弾性的に偏倚させられる。
【００２２】
詳述すると、各圧縮コイルばね要素４２はカメラボディ１０内の適当なシャシ構造体と第１の副組立体２２Ａの矩形状枠体２４との間に拘束され、これにより第１の副組立体２２Ａは第２の副組立体２２Ｂ側に向かう弾性偏倚力を受ける。一方、裏蓋１３の内側壁面には一対の突起（図示されない）が設けられ、板ばね要素４４の両端のそれぞれには該一対の突起の一方を受け入れるようになった切欠き凹部４４Ａが形成される。即ち、板ばね要素４４は上述の一対の突起間に拘束されるような態様で装着され、このとき板ばね要素４４は図２に示すように第２の副組立体２２Ｂ側に向かって凸状に湾曲させられ、これにより第２の副組立体２２Ｂは第１の副組立体２２Ａ側に向かう弾性偏倚力を受ける。従って、第１及び第２の副組立体２２Ａ及び２２Ｂは互いに弾性的に衝合し合うことになるが、上述したように、４つの圧縮コイルばね要素４２の弾性偏倚力は板ばね要素４４の弾性偏倚力よりも小さいので、その全体即ち可動組立体２２自体は前方側に弾性的に偏倚させられる。
【００２３】
なお、図２から明らかなように、裏蓋１３はその両端付近が湾曲した板材として構成され、その一方の湾曲端部はカメラボディ１０に枢着され、これにより裏蓋１３はカメラボディ１０に対して開閉させられる。
【００２４】
図２に示すように、第１の副組立体２２Ａの矩形状枠体２４の後方面の四隅のそれぞれにはソレノイド作動器（ＳＯ１、ＳＯ２、ＳＯ３、ＳＯ４）４６が配置され、各ソレノイド作動器４６は、図３に示すように、円筒形ハウジング４８と、この円筒形ハウジング４８内に適宜設けられた永久磁石５０と、円筒形ハウジング４８内にその中心軸線に沿って移動自在に収容されかつ永久磁石５０と協働すべく適当な磁性体材料で形成されたプランジャ５２と、このプランジャ５２の移動通路の周囲に配置されたソレノイド５４とから成る。各ソレノイド作動器４６の円筒形ハウジング４８はカメラボディ１０内のシャシ構造体によって適宜固定支持され、プランジャ５２の外側端部は第１の副組立体２２Ａの矩形状枠体２４に固着される。
【００２５】
図３から明らかように、プランジャ５２の内側端面は永久磁石５０のＮ極端面に対向させられ、ソレノイド５４への通電方向に応じて、プランジャ５２はその内側端面を永久磁石５０のＮ極端面に当接させた状態の退避位置（実線位置）と該内側端面を永久磁石のＮ極端面から離間させた突出位置（破線位置）との間で移動させられる。即ち、プランジャ５２はソレノイド５４への通電方向に応じて退避位置と突出位置とのいずれか一方を選択的に取り得ることになる。
【００２６】
詳述すると、プランジャ５２が例えば突出位置（破線位置）にあると仮定すると、ソレノイド５４に実線で示す方向に通電させられたとき（この通電方向を正通電と便宜的に定義する）、プランジャ５２の内側端面はＳ極となるので、プランジャ５２は永久磁石５０の磁気的吸引作用により退避位置（実線位置）に向かって移動させられ、該プランジャ５２の内側端面（Ｓ極）が永久磁石５０のＮ極端面に当接してそこに磁気的に吸着され、かくしてプランジャ５２は退避位置に位置決めされる。その後、ソレノイド５４への正通電がオフされたとしても、プランジャ５２は永久磁石５０によって吸着された状態に維持されて退避位置に止められる。
【００２７】
プランジャ５２が退避位置に置かれた状態でソレノイド５４に破線で示す方向に通電させられたとき、即ち逆通電が行われたとき、プランジャ５２の内側端面はＮ極となり、このときプランジャ５２は永久磁石５０から磁気的反発力を受けて、退避位置から突出位置に向かって移動させられる。
【００２８】
再び図２を参照すると、可動組立体２２Ａの前方側には４つの位置決めピン５６が設けられる。なお、同図では、４つの位置決めピン５６のうちの１つは矩形状枠体２４のために見ることはできない。４つの位置決めピン５６は第１の副組立体２２Ａの矩形状枠体２４の前方面の四隅に対応した位置に配置され、各位置決めピン５６はカメラボディ１０内のシャシ構造体によって固定支持される。
【００２９】
以上で述べたソレノイド作動器４６及び位置決めピン５６は上述した圧縮コイルばね要素４２及び板ばね要素４４と協働し、これにより可動組立体２２は２つの撮影位置を選択的に取り得ることになり、これについて図４及び図５を参照して以下に説明する。
【００３０】
なお、図４（ａ）及び図４（ｂ）はそれぞれ図５（ａ）及び図５（ｂ）に対応し、図５（ａ）及び図５（ｂ）は図４（ａ）及び図４（ｂ）のそれぞれの一部を拡大して示すものである。また、図４及び図５では、図示の複雑化を避けるために、図２に示した構成要素の一部については図示されていないが、しかし図５では、カメラボディ１０内のシャシ構造体の一部５８によってソレノイド作動器４６を固定支持している状態が図示されている。
【００３１】
図５（ａ）では、各ソレノイド作動器４６のプランジャ５２はその退避位置にあり、このとき図４及び図５から明らかなように銀塩フィルムＦの受光面はレンズ鏡筒１２の撮影光学系によって規定される結像面位置に位置決めされるようになっている。要するに、本発明による銀塩フィルム兼用電子スチルカメラ内に銀塩フィルムが装填されているときには、各ソレノイド作動器４６のプランジャ５２はその退避位置に止められ、このとき可動組立体２２は第１の撮影位置（銀塩フィルムＦに撮影を行う位置）を取ることになる。
【００３２】
一方、本発明による銀塩フィルム兼用電子スチルカメラ内に銀塩フィルムＦが装填されていないとき、或いは銀塩フィルムＦが装填されていてもそのパトローネに巻き戻されているようなときには、光電変換撮像センサ３８による撮影が可能であり、このような場合には、各ソレノイド作動器４６のプランジャ５２をその退避位置から突出位置に移動させるべくソレノイド５４は逆通電される。即ち、プランジャ５２は永久磁石５０から磁気的反発力を受けて、退避位置から突出位置に向かって移動させられると共に可動組立体２２は板ばね要素４４の弾性偏倚力のために前方側に移動させられる。なお、上述したように、４つの圧縮コイルばね要素４２の弾性偏倚力は板ばね要素４４の弾性偏倚力よりも小さい。
【００３３】
可動組立体２２の前方側への移動により、第１の副組立体２２Ａの矩形状枠体が４つの位置決めピン５６に当接させられると、可動組立体２２は図４（ａ）及び図５（ａ）に示す第１の撮影位置から図４（ｂ）及び図５（ｂ）に示す第２の撮影位置まで移動させられて、その第２の撮影位置に板ばね要素４４の弾性偏倚力でもって止められる。このとき光電変換撮像センサ３８の受光面はレンズ鏡筒１２の撮影光学系によって規定される結像面位置に位置決めされることになる。
【００３４】
４つのソレノイド作動器（ＳＯ１、ＳＯ２、ＳＯ３、ＳＯ４）４６による可動組立体２２の第１及び第２の撮影位置への位置決めが適正に行われているか否かを検出するために、可動組立体２２Ａの前方側には４つの可動組立体検出スイッチ（ＳＷ１、ＳＷ２、ＳＷ３、ＳＷ４）６０が設けられる。４つの可動組立体検出スイッチ６０のそれぞれは第１の副組立体２２Ａの矩形状枠体２４の前方面の四隅の位置決めピン５６に隣接して配置され、各可動組立体スイッチ６０はカメラボディ１０内のシャシ構造体によって固定支持される。なお、図２では、位置決めピン５６の場合と同様、４つの可動組立体検出スイッチ６０のうちの１つは矩形状枠体２４のために見ることはできない。
【００３５】
可動組立体２２がソレノイド作動器（ＳＯ１、ＳＯ２、ＳＯ３、ＳＯ４）４６によって第１の撮影位置（銀塩フィルムＦへの撮影）から第２の撮影位置（光電変換撮像センサ３８への撮影）に移動させられたとき、第１の副組立体２２Ａが位置決めピン５６に当接すると共に可動組立体検出スイッチ（ＳＷ１、ＳＷ２、ＳＷ３、ＳＷ４）６０をオンするようになっている。勿論、可動組立体２２が第１の撮影位置にあるときには、可動組立体検出スイッチ（ＳＷ１、ＳＷ２、ＳＷ３、ＳＷ４）６０はオフ状態となる。
【００３６】
ここで、４つのソレノイド作動器（ＳＯ１、ＳＯ２、ＳＯ３、ＳＯ４）４６による可動組立体２２の第１及び第２の撮影位置への位置決めが適正に行われているか否かを検出するために、４つの可動組立体検出スイッチ（ＳＷ１、ＳＷ２、ＳＷ３、ＳＷ４）６０が用いられる理由について述べると、カメラボディ１０が衝撃を受けた際に可動組立体２２が第１の撮影位置からからずれたり、或いはカメラボディ１０内への塵埃等の侵入のために可動組立体２２の第１若しくは第２への撮影位置への適正な位置決めが阻害され得るからである。
【００３７】
例えば、各ソレノイド作動器（ＳＯ１、ＳＯ２、ＳＯ３、ＳＯ４）４６のプランジャ５２が退避位置に置かれているとき、外部からの衝撃によってプランジャ５２は永久磁石５０に対する磁気的吸着から物理的に解除されることがあり、このとき該プランジャ５２は板ばね要素４４の弾性偏倚力のために突出位置側に向かって変位させられ、このため可動組立体２２は第１の撮影位置からずれることになる。また、４つのプランジャ５２のすべてが永久磁石５０に対する磁気的吸着から物理的に解除された場合には、可動組立体２２は本来第１の撮影位置に位置決めされるべきにもかかわらず、第２の撮影位置まで移動させられるということになる。一方、カメラボディ１０内に侵入した塵埃等が可動組立体２２の正常な移動を阻むようなことがあると、可動組立体２２を第１若しくは第２の撮影位置に適正に位置決めし得なくなる。
【００３８】
従って、可動組立体２２が第１の撮影位置に適正に位置決めされていると仮定した場合には、４つの可動組立体検出スイッチ（ＳＷ１、ＳＷ２、ＳＷ３、ＳＷ４）６０がすべてオフ状態となっていなければならず、また可動組立体２２が第２の撮影位置に適正に位置決めされていると仮定した場合には、４つの可動組立体検出スイッチ（ＳＷ１、ＳＷ２、ＳＷ３、ＳＷ４）６０がすべてオン状態となっていなければならない。従って、４つの可動組立体検出スイッチ６０のオン／オフ状態を監視することにより、可動組立体２２が第１若しくは第２の撮影位置に適正に位置決めされているか否かを判断することができる。
【００３９】
図２に示すように、可動組立体２２の第１の副組立体２２Ａには銀塩フィルムＦの存在を検出するフィルム検出センサ６２が組み込まれ、このフィルム検出センサ６２は矩形状枠体２４の後方面のフィルム通路内に配置させられる。銀塩フィルムＦがフィルム通路内に存在するとき、フィルム検出センサ６２は例えばハイレベル信号を出力し、銀塩フィルムＦがフィルム通路内に存在していないとき、ローレベル信号を出力する。
【００４０】
図６を参照すると、本発明による銀塩フィルム兼用電子スチルカメラのブロック図が示され、そこには本発明に関連する構成要素が示されている。システムコントローラ６４は本発明による銀塩フィルム兼用電子スチルカメラの制御全般を司るものであって、例えばマイクロコンピュータから構成され、そのマイクロコンピュータには中央処理ユニット（ＣＰＵ）、種々のルーチンを実行するためのプログラム及び常数等を格納する読出し専用メモリ（ＲＯＭ）、データ等を一時的に格納する書込み／読出し自在なメモリ（ＲＡＭ）及び入出力インターフェース回路（Ｉ／Ｏ）等が設けられる。
【００４１】
システムコントローラ６４はソレノイド駆動回路６６を介して４つのソレノイド作動器（ＳＯ１、ＳＯ２、ＳＯ３、ＳＯ４）４６を駆動する。また、システムコントローラ６４は４つの可動組立体検出スイッチ（ＳＷ１、ＳＷ２、ＳＷ３、ＳＷ４）６０からのオン／オフ信号を取り込むようになっている。更に、システムコントローラ６４はフィルム検出センサ６２からの信号も取り入れるようになっている。
【００４２】
図６において、参照符号６７はカメラボディ１０の裏蓋１３の開閉状態を検出する裏蓋開閉検出センサを示し、この裏蓋開閉検出センサ６７は裏蓋１３が閉鎖されているときにはローレベル信号を出力し、裏蓋１３が開放されているときにはハイレベル信号を出力する。また、参照符号６８はカメラボディ１０の例えば上面に設けられた液晶表示（ＬＣＤ）パネルを示し、この液晶表示パネル６８はその駆動回路７０を介してシステムコントローラ６４に接続され、該液晶表示パネル６８にはカメラの設定条件や種々のメッセージ等が必要に応じて表示される。更に、参照符号７２は電源オン／オフスイッチを示し、この電源オン／オフスイッチ７２によって電源オン／オフ信号がシステムコントローラ６４に対して出力される。更にまた、参照符号７４はレリーズスイッチを示し、このレリーズスイッチ７４によってレリーズ信号がシステムコントローラ６４に対して出力される。
【００４３】
図７及び図８を参照すると、システムコントローラ６４で実行される可動組立体駆動ルーチンのフローチャートが示され、この可動組立体駆動ルーチンに従って可動組立体２２の駆動が制御される。なお、可動組立体駆動ルーチンは適当な時間間隔例えば200 msで実行される割込みルーチンであり、その実行は電源オン／オフスイッチ７２のオンによって開始される。
【００４４】
ステップ７０１では、裏蓋１３が閉鎖されているか否かが判断される。即ち、裏蓋開閉検出センサ６７から出力される信号がローレベルであるか否かが判断される。もし裏蓋１３が開放されているとき、即ち裏蓋開閉検出センサ６７からの信号がハイレベルのときには、本ルーチンは直ちに終了する。200ms 後に再び本ルーチンは実行されるが、しかし裏蓋１３が開放されている限り、何等の進展もない。
【００４５】
ステップ７０１で裏蓋１３の閉鎖が確認されると、ステップ７０１からステップ７０２に進み、そこでフラグＦ１が０であるか否かが判断される。初期段階では、Ｆ１＝０であるので、ステップ７０３に進み、そこでフラグＦ２が０であるか否かが判断される。初期段階では、Ｆ２＝０であるので、ステップ７０４に進み、そこで可動組立体２２内での銀塩フィルムＦの有無が判断される。即ち、ステップ７０４では、フィルム検出センサ６２からのフィルム検出信号のレベルがハイレベルであるか否かが判断される。
【００４６】
ステップ７０４でフィルム検出センサ６２からのフィルム検出信号信号のレベルがハイであるとき、即ち可動組立体２２内での銀塩フィルムＦの存在が検出されたとき（銀塩フィルムＦへの撮影のみが可能）、ステップ７０５側に進み、４つの可動組立体検出スイッチ（ＳＷ１、ＳＷ２、ＳＷ３、ＳＷ４）６０のオン／オフが判断される（ステップ７０５ないし７０８）。４つの可動組立体検出スイッチ（ＳＷ１、ＳＷ２、ＳＷ３、ＳＷ４）６０のいずれか１つでもオンであるとき、即ち可動組立体２２が第１の撮影位置（銀塩フィルムＦへの撮影）に適正に位置決めされていないとき、ステップ７０９に進み、そこでレリーズ信号の無効化が行われる。従って、この時点では、たとえレリーズスイッチ７４をオンしたとしても、そのレリーズ信号は無効化される。なお、４つの可動組立体検出スイッチ（ＳＷ１、ＳＷ２、ＳＷ３、ＳＷ４）６０のすべてがオンであるときは、可動組立体２２は第２の撮影位置（光電変換撮像センサ３８への撮影）に位置されていることになるので、この場合にもステップ７０９に進むことになる。
【００４７】
ステップ７１０では、可動組立体２２を第１の撮影位置に位置決めさせるべく４つのソレノイド作動器（ＳＯ１、ＳＯ２、ＳＯ３、ＳＯ４）４６のソレノイド５４への正通電が開始される。次いで、ステップ７１１では、フラグＦ１及びフラグＦ２がそれぞれ１に書き換えられ、本ルーチンは一旦終了する。
【００４８】
200ms 後に再び本ルーチンは実行されるが、このときＦ１＝１であるので、ステップ７０２からステップ７１２に進み、そこでフラグＦ１が１から０に書き戻され、本ルーチンは一旦終了する。次の本ルーチンの実行時、ステップ７０３からステップ７１３に進み（Ｆ１＝０、Ｆ２＝１）、そこで４つのソレノイド作動器（ＳＯ１、ＳＯ２、ＳＯ３、ＳＯ４）４６のソレノイド５４への正通電がオフされる。即ち、４つのソレノイド作動器（ＳＯ１、ＳＯ２、ＳＯ３、ＳＯ４）４６のソレノイド５４への正通電が400ms にわたって行われたことになる。
【００４９】
ステップ７１４では、フラグＦ２が１から０に書き戻され、次いでステップ７１５では、カウンタＮのカウント数が10に到達したか否かが判断される。初期段階では、Ｎ＝０であるので、ステップ７１６に進み、そこでカウンタＮのカウント数が１だけカウントアップされ、その後本ルーチンは一旦終了する。
【００５０】
200ms 後に再び本ルーチンが実行されると、ステップ７０１からステップ７０４まで進んだ後（Ｆ１＝０、Ｆ２＝０）、再びステップ７０５側に進み、４つの可動組立体検出スイッチ（ＳＷ１、ＳＷ２、ＳＷ３、ＳＷ４）６０のオン／オフが判断される（ステップ７０５ないし７０８）。ソレノイド作動器（ＳＯ１、ＳＯ２、ＳＯ３、ＳＯ４）４６の正通電による駆動にもかかわらず、４つの可動組立体検出スイッチ（ＳＷ１、ＳＷ２、ＳＷ３、ＳＷ４）６０のいずれか１つでもオンであるとき、即ち可動組立体２２が第１の撮影位置に適正に位置決めさていないとき、再びステップ７０９に進み、そこでレリーズ信号の無効化が行われ、次いでステップ７１０では、ソレノイド作動器（ＳＯ１、ＳＯ２、ＳＯ３、ＳＯ４）４６のソレノイド５４への正通電が再度開始され、続いてステップ７１１でフラグＦ１及びフラグＦ２がそれぞれ１に書き換えられる。
【００５１】
要するに、４つの可動組立体検出スイッチ（ＳＷ１、ＳＷ２、ＳＷ３、ＳＷ４）６０のすべてがオフ状態となって、可動組立体２２が第１の撮影位置に適正に位置決めされたと判断されるまで、ソレノイド作動器（ＳＯ１、ＳＯ２、ＳＯ３、ＳＯ４）４６の正通電による駆動が繰り返され、その度毎にカウンタＮのカウント数が１つずつカウントアップされる。ソレノイド作動器４６等の故障或いは塵埃等の侵入による作動不良等のために、ソレノイド作動器（ＳＯ１、ＳＯ２、ＳＯ３、ＳＯ４）４６の駆動が10回繰り返されても（Ｎ＝10）、４つの可動組立体検出スイッチ（ＳＷ１、ＳＷ２、ＳＷ３、ＳＷ４）６０のすべてがオフ状態とならない場合には、ステップ７１７に進み、そこで撮影が不可である旨の表示が液晶表示（ＬＣＤ）パネル６８で行われる。なお、カウンタＮのカウント数10は４秒間の時間に相当する。
【００５２】
一方、４つの可動組立体検出スイッチ（ＳＷ１、ＳＷ２、ＳＷ３、ＳＷ４）６０のすべてがオフ状態となって、可動組立体２２が第１の撮影位置に適正に位置決めされたと判断されると（ステップ７０５ないし７０８）、ステップ７１８に進み、そこでレリーズ信号の有効化が行われる。従って、この時点からは、撮影のためにレリーズスイッチ７４がオンされると、そのレリーズ信号は有効化されて、一連の撮影動作が行われることになる。
【００５３】
ステップ７１９では、カウンタＮのカウント数が10以上であるか否かが判断される。もしＮ＜10であれば、ステップ７２１にスキップし、カウンタＮのカウント数がリセットされ、本ルーチンは一旦終了する。その後、本ルーチンは200ms 毎に実行されることになるが、銀塩フィルムＦの存在が検出され、しかも可動組立体検出スイッチ（ＳＷ１、ＳＷ２、ＳＷ３、ＳＷ４）６０のすべてがオフである限り、レリーズ信号の有効化は維持され、銀塩フィルムＦへの撮影が可能とされる。
【００５４】
ところで、ステップ７１７で液晶表示（ＬＣＤ）パネル６８に撮影が不可である旨の表示が行われた後、電源オン／オフスイッチ７２がオン状態のままにされているときには、ソレノイド作動器（ＳＯ１、ＳＯ２、ＳＯ３、ＳＯ４）４６の正通電による駆動が繰り返されることになり、その間にもし４つの可動組立体検出スイッチ（ＳＷ１、ＳＷ２、ＳＷ３、ＳＷ４）６０のすべてがオフ状態となって、可動組立体２２が第１の撮影位置に適正に位置決めされ得る場合もある。例えば、可動組立体２２に付着した塵埃のためにその適正な移動が阻害されて可動組立体２２が第１の撮影位置に適正に位置決めされていない場合であっても、ソレノイド作動器４６の正通電による駆動が繰り返されている間に該塵埃が可動組立体２２から脱落して第１の撮影位置に適正に位置決めされることもある。
【００５５】
ステップ７１９はそのような状況のために用意されているものであり、そこでもしＮ≧10であれば、液晶表示（ＬＣＤ）パネル６８には既に撮影が不可である旨の表示が行われているので、ステップ７２０に進み、そこで撮影が可能である旨の表示に切り換えられる。
【００５６】
ステップ７０４でフィルム検出センサ６２からのフィルム検出信号のレベルがローであるとき、即ち可動組立体２２内での銀塩フィルムＦの存在が検出されないとき（光電変換撮像センサ３８への撮影のみが可能）、ステップ７２２側に進み、４つの可動組立体検出スイッチ（ＳＷ１、ＳＷ２、ＳＷ３、ＳＷ４）６０のオン／オフが判断される（ステップ７２２ないし７２５）。４つの可動組立体検出スイッチ（ＳＷ１、ＳＷ２、ＳＷ３、ＳＷ４）６０のいずれか１つでもオフであるとき、即ち可動組立体２２が第２の撮影位置（光電変換撮像センサ３８への撮影）に適正に位置決めされていないとき、ステップ７２６に進み、そこでレリーズ信号の無効化が行われる。従って、上述の場合と同様、この時点では、たとえレリーズスイッチ７４をオンしたとしても、そのレリーズ信号は無効化される。なお、４つの可動組立体検出スイッチ（ＳＷ１、ＳＷ２、ＳＷ３、ＳＷ４）６０のすべてがオフであるときは、可動組立体２２は第１の撮影位置（銀塩フィルムＦへの撮影）に位置されていることになるので、この場合にもステップ７２６に進むことになる。
【００５７】
ステップ７２７では、可動組立体２２を第２の撮影位置に位置決めさせるべく４つのソレノイド作動器（ＳＯ１、ＳＯ２、ＳＯ３、ＳＯ４）４６のソレノイド５４への逆通電が開始される。次いで、ステップ７２８では、フラグＦ１及びフラグＦ２がそれぞれ１に書き換えられ、本ルーチンは一旦終了する。
【００５８】
200ms 後に再び本ルーチンは実行されるが、このときＦ１＝１であるので、ステップ７０２からステップ７１２に進み、そこでフラグＦ１が１から０に書き戻され、本ルーチンは一旦終了する。次の本ルーチンの実行時、ステップ７０３からステップ７１３に進み（Ｆ１＝０、Ｆ２＝１）、そこで４つのソレノイド作動器（ＳＯ１、ＳＯ２、ＳＯ３、ＳＯ４）４６のソレノイド５４への逆通電がオフされる。即ち、上述の場合と同様、４つのソレノイド作動器（ＳＯ１、ＳＯ２、ＳＯ３、ＳＯ４）４６のソレノイド５４への逆通電が400ms にわたって行われたことになる。
【００５９】
ステップ７１４では、フラグＦ２が１から０に書き戻され、次いでステップ７１５では、カウンタＮのカウント数が10に到達したか否かが判断される。現段階では、Ｎ＝０であるので、ステップ７１６に進み、そこでカウンタＮのカウント数が１だけカウントアップされ、その後本ルーチンは一旦終了する。
【００６０】
200ms 後に再び本ルーチンが実行されると、ステップ７０１からステップ７０４まで進んだ後（Ｆ１＝０、Ｆ２＝０）、再びステップ７２２側に進み、４つの可動組立体検出スイッチ（ＳＷ１、ＳＷ２、ＳＷ３、ＳＷ４）６０のオン／オフが判断される（ステップ７２２ないし７２５）。ソレノイド作動器（ＳＯ１、ＳＯ２、ＳＯ３、ＳＯ４）４６の逆通電による駆動にもかかわらず、４つの可動組立体検出スイッチ（ＳＷ１、ＳＷ２、ＳＷ３、ＳＷ４）６０のいずれか１つでもオフであるとき、即ち可動組立体２２が第２の撮影位置に適正に位置決めされていないとき、再びステップ７２６に進み、そこでレリーズ信号の無効化が行われ、次いでステップ７２７では、ソレノイド作動器（ＳＯ１、ＳＯ２、ＳＯ３、ＳＯ４）４６のソレノイド５４への逆通電が再度開始され、続いてステップ７２８でフラグＦ１及びフラグＦ２がそれぞれ１に書き換えられる。
【００６１】
要するに、４つの可動組立体検出スイッチ（ＳＷ１、ＳＷ２、ＳＷ３、ＳＷ４）６０のすべてがオン状態となって、可動組立体２２が第２の撮影位置に適正に位置決めされたと判断されるまで、ソレノイド作動器（ＳＯ１、ＳＯ２、ＳＯ３、ＳＯ４）４６の逆通電による駆動が繰り返され、その度毎にカウンタＮのカウント数が１つずつカウントアップされる。ソレノイド作動器４６等の故障或いは塵埃等の侵入による作動不良等のために、ソレノイド作動器（ＳＯ１、ＳＯ２、ＳＯ３、ＳＯ４）４６の駆動が10回繰り返されても（Ｎ＝10）、４つの可動組立体検出スイッチ（ＳＷ１、ＳＷ２、ＳＷ３、ＳＷ４）６０のすべてがオン状態とならないときには、上述の場合と同様に、ステップ７１７に進み、そこで撮影が不可である旨の表示が液晶表示（ＬＣＤ）パネル６８で行われる。
【００６２】
一方、４つの可動組立体検出スイッチ（ＳＷ１、ＳＷ２、ＳＷ３、ＳＷ４）６０のすべてがオン状態となって、可動組立体２２が第２の撮影位置に適正に位置決めされたと判断されると（ステップ７２２ないし７２５）、ステップ７１８に進み、そこでレリーズ信号の有効化が行われる。従って、この時点からは、撮影のためにレリーズスイッチ７４がオンされると、そのレリーズ信号は有効化されて、一連の撮影動作が行われることになる。
【００６３】
ステップ７１９では、カウンタＮのカウント数が10以上であるか否かが判断される。もしＮ＜10であれば、ステップ７２１にスキップし、カウンタＮのカウント数がリセットされ、本ルーチンは一旦終了する。その後、本ルーチンは200ms 毎に実行されることになるが、銀塩フィルムＦの存在が検出されず、しかも可動組立体検出スイッチ（ＳＷ１、ＳＷ２、ＳＷ３、ＳＷ４）６０のすべてがオンである限り、レリーズ信号の有効化は維持され、光電変換撮像センサ３８への撮影が可能とされる。
【００６４】
上述の場合と同様、ステップ７１７で液晶表示（ＬＣＤ）パネル６８に撮影が不可である旨の表示が行われた後、電源オン／オフスイッチ７２がオン状態のままにされているときには、ソレノイド作動器（ＳＯ１、ＳＯ２、ＳＯ３、ＳＯ４）４６の逆通電による駆動が繰り返されることになり、その間にもし４つの可動組立体検出スイッチ（ＳＷ１、ＳＷ２、ＳＷ３、ＳＷ４）６０のすべてがオン状態となって、可動組立体２２が第２の撮影位置に適正に位置決めされ得る場合もある。その場合には、ステップ７１９ではＮ≧10となっているので、ステップ７２０に進み、そこで撮影が不可である旨の表示から撮影が可能である旨の表示に切り換えられる。
【００６５】
【発明の効果】
以上の記載から明らかなように、本発明による銀塩フィルム兼用電子スチルカメラにおいては、銀塩フィルムが撮影可能な状態で装填されていれば、可動組立体が銀塩フィルムへの撮影可能な位置に自動的に位置決めされ、一方銀塩フィルムへの撮影が行い得ない状態であれば、可動組立体が光電変換撮像センサへの撮影可能な位置に自動的に位置決めされるので、写真撮影カメラ及び電子スチルカメラの一方から他方への切換を自動的にかつ速やかに行い得る。
【図面の簡単な説明】
【図１】本発明による銀塩フィルム兼用電子スチルカメラの要部を概略的に示す概略図である。
【図２】本発明による銀塩フィルム兼用電子スチルカメラに組み込まれる可動組立体を示す分解斜視図である。
【図３】図２の可動組立体を駆動するためのソレノイド作動器の概略構成を示す概略図である。
【図４】可動組立体を第１の撮影位置に位置決めした際の銀塩フィルム兼用電子スチルカメラと可動組立体を第２の撮影位置に位置決めした際の銀塩フィルム兼用電子スチルカメラとを対比して示す概略図である。
【図５】図４の要部を部分的に拡大し、かつ図４と同様な態様で対比させて示す概略図である。
【図６】本発明による銀塩フィルム兼用電子スチルカメラのブロック図である。
【図７】可動組立体駆動ルーチンを示すフローチャートの一部分である。
【図８】可動組立体駆動ルーチンを示すフローチャートの残りの部分である。
【符号の説明】
１０  カメラボディ
１２  レンズ鏡筒
１３  裏蓋
２２  可動組立体
２２Ａ  第１の副組立体
２２Ｂ  第２の副組立体
２４  矩形状枠体
２６  矩形状開口部
２８  上側ガイドレール
３０  下側ガイドレール
３２・３４  ガイド片
３６  透明圧板
３８  光電変換撮像センサ
４０  制御回路基板
４２  圧縮コイルばね要素
４４  板ばね要素
４６  ソレノイド作動器
５６  位置決めピン
６０  可動組立体検出スイッチ
６２  フィルム検出センサ
６４  システムコントローラ
６６  ソレノイド駆動回路
６７  裏蓋開閉検出センサ
６８  液晶表示（ＬＣＤ）パネル
７２  電源オン／オフスイッチ
７４  レリーズスイッチ
Ｆ  銀塩フィルム
【図１】
0003689238.tif 000002
【図２】
0003689238.tif 000003
【図３】
0003689238.tif 000004
【図４】
0003689238.tif 000005
【図５】
0003689238.tif 000006
【図６】
0003689238.tif 000007
【図７】
0003689238.tif 000008
【図８】
0003689238.tif 000009